(57)【要約】【課題】搬送部から送られた偽貨幣や真偽不確定貨幣を収納することができる収納部が１つしかない場合と比較して、運用形態に応じて柔軟な対応を行うことができる貨幣処理装置および貨幣処理方法を提供する。【解決手段】貨幣処理装置（例えば、紙幣処理装置１）は、搬送部１２により搬送される貨幣のうち偽貨幣および真偽不確定貨幣の少なくとも一方の搬送先を複数の収納部（例えば、各紙幣収納部１８、１９、各収納繰出部２０、回収部３０、紙幣投出部１６等）から選択する搬送先選択手段５２と、偽貨幣および真偽不確定貨幣の少なくとも一方を、複数の収納部のうち搬送先選択手段５２により選択された収納部に搬送するよう搬送部１２を制御する制御部５０とを備えている。【選択図】図２
2018049328.tif 000002
【特許請求の範囲】
【請求項１】
貨幣を搬送する搬送部と、
前記搬送部における異なる箇所にそれぞれ接続され、当該搬送部から送られた貨幣を収納する複数の収納部であって、少なくとも１つの前記収納部は、収納されている貨幣が外部に露出しない構成となっている、複数の収納部と、
前記搬送部により搬送される貨幣のうち偽貨幣および真偽不確定貨幣の少なくとも一方の搬送先を複数の前記収納部から選択する搬送先選択手段と、
偽貨幣および真偽不確定貨幣の少なくとも一方を、複数の前記収納部のうち前記搬送先選択手段により選択された前記収納部に搬送するよう前記搬送部を制御する制御部と、
を備えた、貨幣処理装置。
【請求項２】
全ての前記収納部は、収納されている貨幣が外部に露出しない構成となっている、請求項１記載の貨幣処理装置。
【請求項３】
複数の前記収納部のうち収納されている貨幣が外部に露出しない構成となっている前記収納部は、貨幣を収納するとともに収納されている貨幣を前記搬送部に繰り出す収納繰出部を含む、請求項１または２記載の貨幣処理装置。
【請求項４】
前記収納繰出部は複数の回転体を有しており、各前記回転体にそれぞれ貨幣が帯状の収納媒体により巻き付けられるようになっており、少なくとも２つの前記回転体に巻き付けられる前記収納媒体の長さは互いに異なっており、
偽貨幣および真偽不確定貨幣の少なくとも一方は、前記収納繰出部における複数の前記回転体のうち、巻き付けられる前記収納媒体の長さが最も小さい前記回転体に巻き付けられるようになっている、請求項３記載の貨幣処理装置。
【請求項５】
複数の前記収納部のうちある前記収納部は、前記搬送部から送られた貨幣を前記貨幣処理装置の外部に投出するための、収納されている貨幣が外部に露出される構成となっている貨幣投出部を含む、請求項１記載の貨幣処理装置。
【請求項６】
前記貨幣投出部には開閉部材が設けられており、前記開閉部材が開かれると前記貨幣処理装置の外部から前記貨幣投出部にアクセスすることができるようになっている、請求項５記載の貨幣処理装置。
【請求項７】
前記貨幣処理装置の外部に投出されるべき貨幣が前記貨幣投出部に搬送される場合には前記開閉部材が開かれ、偽貨幣および真偽不確定貨幣の少なくとも一方が前記貨幣投出部に搬送される場合には前記開閉部材が閉じられるようになっている、請求項６記載の貨幣処理装置。
【請求項８】
偽貨幣および真偽不確定貨幣の少なくとも一方が前記貨幣投出部に搬送される場合において前記開閉部材が閉じられた後、前記開閉部材を開く旨の指令が与えられると前記開閉部材が開かれて前記貨幣処理装置の外部から前記貨幣投出部にアクセスすることができるようになる、請求項７記載の貨幣処理装置。
【請求項９】
偽貨幣および真偽不確定貨幣の少なくとも一方が前記貨幣投出部に搬送されたときにこのことを報知する報知部を更に備えた、請求項５乃至８のいずれか一項に記載の貨幣処理装置。
【請求項１０】
前記収納部は３つ以上設けられており、少なくとも２つの前記収納部は、収納されている貨幣が外部に露出しない構成となっており、それ以外の前記収納部は前記貨幣投出部を含む、請求項５乃至９のいずれか一項に記載の貨幣処理装置。
【請求項１１】
貨幣を前記貨幣処理装置の内部に取り込む取込部および前記取込部により前記貨幣処理装置の内部に取り込まれた貨幣の識別を行う識別部を有する上部ユニットと、
所定の権限を有する場合にのみ内部にアクセスすることができるようになっている下部ユニットと、
を備え、
複数の前記収納部のうち少なくとも１つの前記収納部は前記下部ユニットの内部に設けられている、請求項１乃至１０のいずれか一項に記載の貨幣処理装置。
【請求項１２】
前記制御部は、前記搬送部により搬送される貨幣のうち偽貨幣および真偽不確定貨幣以外のリジェクト貨幣を、複数の前記収納部のうち前記搬送先選択手段により選択された前記収納部以外の前記収納部に搬送するよう前記搬送部を制御する、請求項１乃至１１のいずれか一項に記載の貨幣処理装置。
【請求項１３】
前記搬送部により搬送される貨幣のうち偽貨幣および真偽不確定貨幣の少なくとも一方の搬送先を入力するための入力部を更に備え、
前記搬送先選択手段は、前記入力部により入力された内容に基づいて、前記搬送部により搬送される貨幣のうち偽貨幣および真偽不確定貨幣の少なくとも一方の搬送先を複数の前記収納部から選択するようになっている、請求項１乃至１２のいずれか一項に記載の貨幣処理装置。
【請求項１４】
外部装置に対して信号の送受信を行う通信部を更に備え、
前記搬送先選択手段は、外部装置から前記通信部を介して受信した情報に基づいて、前記搬送部により搬送される貨幣のうち偽貨幣および真偽不確定貨幣の少なくとも一方の搬送先を複数の前記収納部から選択するようになっている、請求項１乃至１２のいずれか一項に記載の貨幣処理装置。
【請求項１５】
貨幣を搬送する搬送部と、前記搬送部における異なる箇所にそれぞれ接続され、当該搬送部から送られた貨幣を収納する複数の収納部であって、少なくとも１つの前記収納部は、収納されている貨幣が外部に露出しない構成となっている、複数の収納部とを有する貨幣処理装置による貨幣処理方法であって、
前記搬送部により搬送される貨幣のうち偽貨幣および真偽不確定貨幣の少なくとも一方の搬送先を複数の前記収納部から予め選択しておく工程と、
偽貨幣および真偽不確定貨幣の少なくとも一方を、複数の前記収納部のうち選択された前記収納部に搬送する工程と、
を備えた、貨幣処理方法。
【発明の詳細な説明】
【技術分野】
【０００１】
本発明は、紙幣や硬貨等の貨幣の処理を行う貨幣処理装置および貨幣処理方法に関する。
【背景技術】
【０００２】
紙幣や硬貨等の貨幣の処理を行う貨幣処理装置として、従来から様々なタイプのものが知られている。例えば、特許文献１には、紙幣の入金処理や出金処理を行う紙幣処理装置において、紙幣をテープとともにドラムに巻き取ることによって収納し、このテープをドラムから送り出すことによって紙幣を繰り出すものが開示されている。
【先行技術文献】
【特許文献】
【０００３】
【特許文献１】特許第４４８１０６１号
【発明の概要】
【発明が解決しようとする課題】
【０００４】
特許文献１等に開示されるような従来の紙幣処理装置では、下部ユニットの内部にキャプチャービンが設けられており、紙幣の処理が行われる際に、識別部による識別結果に基づいて偽券と判断された紙幣がキャプチャービンに送られて当該キャプチャービンに収納されるようになっている。しかしながら、このような従来の紙幣処理装置では、キャプチャービンが１つしか設けられておらず、偽券の搬送先が１箇所しかないため、運用形態に応じて柔軟な対応を行うことができないという問題があった。また、上述した紙幣処理装置において紙幣の出金処理が行われる際に、識別部による識別結果に基づいて搬送異常であると判断された紙幣も出金リジェクト紙幣としてキャプチャービンに送られるようになるが、この場合には、キャプチャービンに収納されている紙幣を手作業で偽券と出金リジェクト紙幣とに分けなければならず、操作者にとって手間がかかるという問題があった。
【０００５】
本発明は、このような点を考慮してなされたものであり、搬送部から送られた偽貨幣や真偽不確定貨幣を収納することができる収納部が１つしかない場合と比較して、運用形態に応じて柔軟な対応を行うことができる貨幣処理装置および貨幣処理方法を提供することを目的とする。
【課題を解決するための手段】
【０００６】
本発明の貨幣処理装置は、貨幣を搬送する搬送部と、前記搬送部における異なる箇所にそれぞれ接続され、当該搬送部から送られた貨幣を収納する複数の収納部であって、少なくとも１つの前記収納部は、収納されている貨幣が外部に露出しない構成となっている、複数の収納部と、前記搬送部により搬送される貨幣のうち偽貨幣および真偽不確定貨幣の少なくとも一方の搬送先を複数の前記収納部から選択する搬送先選択手段と、偽貨幣および真偽不確定貨幣の少なくとも一方を、複数の前記収納部のうち前記搬送先選択手段により選択された前記収納部に搬送するよう前記搬送部を制御する制御部と、を備えたことを特徴とする。
【０００７】
このような貨幣処理装置によれば、搬送部により搬送される貨幣のうち偽貨幣および真偽不確定貨幣の少なくとも一方の搬送先を搬送先選択手段により複数の収納部から予め選択しておき、偽貨幣および真偽不確定貨幣の少なくとも一方を、複数の収納部のうち搬送先選択手段により選択された収納部に搬送することにより、搬送部から送られた偽貨幣や真偽不確定貨幣を収納することができる収納部が１つしかない場合と比較して、運用形態に応じて柔軟な対応を行うことができる。
【０００８】
本発明の貨幣処理装置においては、全ての前記収納部は、収納されている貨幣が外部に露出しない構成となっていてもよい。
【０００９】
本発明の貨幣処理装置においては、複数の前記収納部のうち収納されている貨幣が外部に露出しない構成となっている前記収納部は、貨幣を収納するとともに収納されている貨幣を前記搬送部に繰り出す収納繰出部を含んでいてもよい。
【００１０】
この場合、前記収納繰出部は複数の回転体を有しており、各前記回転体にそれぞれ貨幣が帯状の収納媒体により巻き付けられるようになっており、少なくとも２つの前記回転体に巻き付けられる前記収納媒体の長さは互いに異なっており、偽貨幣および真偽不確定貨幣の少なくとも一方は、前記収納繰出部における複数の前記回転体のうち、巻き付けられる前記収納媒体の長さが最も小さい前記回転体に巻き付けられるようになっていてもよい。
【００１１】
本発明の貨幣処理装置においては、複数の前記収納部のうちある前記収納部は、前記搬送部から送られた貨幣を前記貨幣処理装置の外部に投出するための、収納されている貨幣が外部に露出される構成となっている貨幣投出部を含んでいてもよい。
【００１２】
この場合、前記貨幣投出部には開閉部材が設けられており、前記開閉部材が開かれると前記貨幣処理装置の外部から前記貨幣投出部にアクセスすることができるようになっていてもよい。
【００１３】
また、前記貨幣処理装置の外部に投出されるべき貨幣が前記貨幣投出部に搬送される場合には前記開閉部材が開かれ、偽貨幣および真偽不確定貨幣の少なくとも一方が前記貨幣投出部に搬送される場合には前記開閉部材が閉じられるようになっていてもよい。
【００１４】
また、偽貨幣および真偽不確定貨幣の少なくとも一方が前記貨幣投出部に搬送される場合において前記開閉部材が閉じられた後、前記開閉部材を開く旨の指令が与えられると前記開閉部材が開かれて前記貨幣処理装置の外部から前記貨幣投出部にアクセスすることができるようになっていてもよい。
【００１５】
本発明の貨幣処理装置は、偽貨幣および真偽不確定貨幣の少なくとも一方が前記貨幣投出部に搬送されたときにこのことを報知する報知部を更に備えていてもよい。
【００１６】
本発明の貨幣処理装置においては、前記収納部は３つ以上設けられており、少なくとも２つの前記収納部は、収納されている貨幣が外部に露出しない構成となっており、それ以外の前記収納部は前記貨幣投出部を含んでいてもよい。
【００１７】
本発明の貨幣処理装置は、貨幣を前記貨幣処理装置の内部に取り込む取込部および前記取込部により前記貨幣処理装置の内部に取り込まれた貨幣の識別を行う識別部を有する上部ユニットと、所定の権限を有する場合にのみ内部にアクセスすることができるようになっている下部ユニットと、を備え、複数の前記収納部のうち少なくとも１つの前記収納部は前記下部ユニットの内部に設けられていてもよい。
【００１８】
本発明の貨幣処理装置においては、前記制御部は、前記搬送部により搬送される貨幣のうち偽貨幣および真偽不確定貨幣以外のリジェクト貨幣を、複数の前記収納部のうち前記搬送先選択手段により選択された前記収納部以外の前記収納部に搬送するよう前記搬送部を制御するようになっていてもよい。
【００１９】
本発明の貨幣処理装置は、前記搬送部により搬送される貨幣のうち偽貨幣および真偽不確定貨幣の少なくとも一方の搬送先を入力するための入力部を更に備え、前記搬送先選択手段は、前記入力部により入力された内容に基づいて、前記搬送部により搬送される貨幣のうち偽貨幣および真偽不確定貨幣の少なくとも一方の搬送先を複数の前記収納部から選択するようになっていてもよい。
【００２０】
あるいは、本発明の貨幣処理装置は、外部装置に対して信号の送受信を行う通信部を更に備え、前記搬送先選択手段は、外部装置から前記通信部を介して受信した情報に基づいて、前記搬送部により搬送される貨幣のうち偽貨幣および真偽不確定貨幣の少なくとも一方の搬送先を複数の前記収納部から選択するようになっていてもよい。
【００２１】
本発明の貨幣処理方法は、貨幣を搬送する搬送部と、前記搬送部における異なる箇所にそれぞれ接続され、当該搬送部から送られた貨幣を収納する複数の収納部であって、少なくとも１つの前記収納部は、収納されている貨幣が外部に露出しない構成となっている、複数の収納部とを有する貨幣処理装置による貨幣処理方法であって、前記搬送部により搬送される貨幣のうち偽貨幣および真偽不確定貨幣の少なくとも一方の搬送先を複数の前記収納部から予め選択しておく工程と、偽貨幣および真偽不確定貨幣の少なくとも一方を、複数の前記収納部のうち選択された前記収納部に搬送する工程と、を備えたことを特徴とする。
【００２２】
このような貨幣処理方法によれば、搬送部により搬送される貨幣のうち偽貨幣および真偽不確定貨幣の少なくとも一方の搬送先を複数の収納部から予め選択しておき、偽貨幣および真偽不確定貨幣の少なくとも一方を、複数の収納部のうち選択された収納部に搬送することにより、搬送部から送られた偽貨幣や真偽不確定貨幣を収納することができる収納部が１つしかない場合と比較して、運用形態に応じて柔軟な対応を行うことができる。
【発明の効果】
【００２３】
本発明の貨幣処理装置によれば、搬送部から送られた偽貨幣や真偽不確定貨幣を収納することができる収納部が１つしかない場合と比較して、運用形態に応じて柔軟な対応を行うことができる。
【図面の簡単な説明】
【００２４】
【図１】本発明の実施の形態による貨幣処理システムの外観を示す斜視図である。
【図２】図１に示す貨幣処理システムにおける紙幣処理装置の内部構成を示す側面図である。
【図３】図１に示す貨幣処理システムの制御系の構成を示す機能ブロック図である。
【発明を実施するための形態】
【００２５】
以下、図面を参照して本発明の実施の形態について説明する。図１乃至図３は、本実施の形態に係る貨幣処理システムを示す図である。このうち、図１は、本実施の形態による貨幣処理システムの外観を示す斜視図であり、図２は、図１に示す貨幣処理システムにおける紙幣処理装置の内部構成を示す側面図であり、図３は、図１に示す貨幣処理システムの制御系の構成を示す機能ブロック図である。
【００２６】
本実施の形態による貨幣処理システムは、スーパーマーケットやコンビニエンスストア等の店舗に配置され、売上金としての紙幣や硬貨の入金処理を行うとともに釣銭としての紙幣や硬貨の出金処理を行うものである。図１に示すように、本実施の形態による貨幣処理システムは、左右に並ぶよう配置された紙幣処理装置１および硬貨処理装置１０１を備えている。また、紙幣処理装置１にはＰＯＳレジスタ２００がＬＡＮ等により通信可能に接続されている。ここで、ＰＯＳレジスタ２００は、紙幣処理装置１および硬貨処理装置１０１の管理を行う管理装置として用いられるようになっている。また、店舗内に設けられた精算所には、係員側と顧客側とに区切る精算台（テーブルやカウンター）が設置されており、係員は、精算台の一方の側で待機するようになっている。ＰＯＳレジスタ２００は、係員が操作できるように、係員が待機する側に配置されることが多い。一方、顧客は、精算台の他方の側に立ち、購入したい商品を精算台の上に載せる。そして、係員は、精算台の上に載せられた商品の番号や価格をＰＯＳレジスタ２００に登録する。また、係員は、顧客から貨幣を受け取り、貨幣処理システムに投入する。このような貨幣処理システムの詳細について以下に説明する。
【００２７】
まず、紙幣処理装置１の構成の詳細について図２を用いて説明する。なお、図２における筐体１ａ（後述）の右側の側面が紙幣処理装置１の前面側（すなわち、図１に示すように紙幣処理装置１を手前側から見たときの正面側）となっており、図２における左方向が筐体１ａの奥行き方向となっている。
【００２８】
図２に示すように、紙幣処理装置１は略直方体形状の筐体１ａを有している。また、紙幣処理装置１は上部ユニット２および下部ユニット３を有しており、上部ユニット２には、筐体１ａの外部から内部に紙幣を投入するための紙幣投入部１０と、紙幣投入部１０により筐体１ａの内部に投入された紙幣を搬送する搬送部１２と、搬送部１２に設けられ、当該搬送部１２により搬送される紙幣を識別する識別部１４と、筐体１ａの内部から外部に紙幣を投出するための紙幣投出部１６とがそれぞれ設けられている。
【００２９】
紙幣投入部１０には、フィードローラやキッカローラ等の複数のローラが設けられており、操作者によって紙幣投入部１０に積層状態で載置された紙幣のうち最下層の紙幣がキッカローラによりフィードローラに向かって１枚ずつ蹴り出され、この蹴り出された紙幣がフィードローラにより筐体１ａの内部に１枚ずつ繰り出されるようになっている。紙幣投入部１０により筐体１ａの内部に繰り出された紙幣は搬送部１２により１枚ずつ搬送されるようになっている。また、識別部１４は、搬送部１２により搬送される紙幣の金種、真偽、正損、新旧、表裏、搬送状態等の識別を行うようになっている。識別部１４により識別された紙幣は搬送部１２によって後述する各収納繰出部２０に例えば金種毎に送られるようになっている。
【００３０】
図２に示すように、搬送部１２における様々な箇所には当該搬送部１２により搬送される紙幣を検知する紙幣検知センサ１２ａが設けられている。各紙幣検知センサ１２ａは発光素子および受光素子を有する光センサ等から構成されており、発光素子から発せられた光が搬送部１２により搬送される紙幣によって遮られて受光素子により受けられなくなることにより当該紙幣が紙幣検知センサ１２ａにより検知されるようになっている。各紙幣検知センサ１２ａによる紙幣の検知情報は後述する制御部５０に送られるようになっている。また、各紙幣検知センサ１２ａによる紙幣の検知結果に基づいて、搬送部１２により搬送される複数の紙幣間の間隔が所定の大きさとなっているか否かが制御部５０により判断されるようになっており、搬送部１２により搬送される複数の紙幣間の間隔が所定の大きさから大きく異なっていると制御部５０により判断された場合には、搬送部１２により搬送される紙幣に斜行、重送、連鎖等の搬送異常が生じていることが検知されるようになる。
【００３１】
また、上部ユニット２において、搬送部１２には２つの紙幣収納部１８、１９（キャプチャービン）が接続されている。各紙幣収納部１８、１９には、搬送部１２から送られた紙幣がそれぞれ収納されるようになっているが、各紙幣収納部１８、１９に収納されている紙幣をこれらの紙幣収納部１８、１９から搬送部１２に繰り出すことができないようになっている。また、紙幣の入金処理および出金処理の両方の場合において搬送部１２から各紙幣収納部１８、１９に紙幣を送ることができるようこれらの紙幣収納部１８、１９の位置が決められている。また、本実施の形態では、２つの紙幣収納部１８、１９のうち一方の紙幣収納部（例えば、紙幣投出部１６に近い側の紙幣収納部１９）は、後述する搬送先選択手段５２により偽券および真偽不確定券のうち少なくとも一方の搬送先として選択されるようになっている。また、他方の紙幣収納部（例えば、紙幣投出部１６から遠い側の紙幣収納部１８）には、紙幣の出金処理が行われる際に後述する各収納繰出部２０から搬送部１２に繰り出されたが紙幣投出部１６により筐体１ａの外部に投出することができない紙幣（具体的には、例えば搬送異常の紙幣）が当該搬送部１２から送られるようになっている。このような技術的事項の詳細については後述する。
【００３２】
また、図２に示すように、搬送部１２は上部ユニット２および下部ユニット３をまたがるよう設けられており、下部ユニット３において搬送部１２には複数（図２に示す例では４つ）の収納繰出部２０が接続されている。各収納繰出部２０は、搬送部１２から送られた紙幣を収納するとともに、収納されている紙幣を１枚ずつ搬送部１２に繰り出すことができるようになっている。より詳細には、４つの収納繰出部２０のうち最も上側の収納繰出部２０および最も下側の収納繰出部２０は、それぞれ、１つのドラム２２を有しており、搬送部１２から送られた紙幣を１枚ずつ一対のテープ間に挟み込んだ状態で当該テープを紙幣とともにドラム２２に巻き取るようになっている。また、ドラム２２がテープの巻き取り方向とは逆方向に回転すると、当該ドラム２２からテープが巻き出されることにより一対のテープ間に挟まれている紙幣が搬送部１２に１枚ずつ繰り出されるようになる。また、４つの収納繰出部２０のうち上から２番目の収納繰出部２０および上から３番目の収納繰出部２０は、それぞれ、紙幣の最大収納容量が互いに異なる２つのドラム２４、２６を有している。具体的には、これらの収納繰出部２０は、巻き取られるテープの長さが互いに異なる２つのドラム２４、２６を有しており、搬送部１２から送られた紙幣を１枚ずつ一対のテープ間に挟み込んだ状態で当該テープを紙幣とともに各ドラム２４、２６に巻き取るようになっている。また、各ドラム２４、２６がテープの巻き取り方向とは逆方向に回転すると、当該ドラム２４、２６からテープが巻き出されることにより一対のテープ間に挟まれている紙幣が搬送部１２に１枚ずつ繰り出されるようになる。ここで、ドラム２６に巻き取られるテープの長さはドラム２４に巻き取られるテープの長さよりも大きくなっており、このことによりドラム２６における紙幣の最大収納容量はドラム２４における紙幣の最大収納容量よりも多くなっている。なお、本実施の形態による紙幣処理装置１では、図２に示すようなテープリール式の収納繰出部２０が用いられる代わりに、紙幣を積み重ねて収納するスタッカ式の収納繰出部が用いられるようになっていてもよい。
【００３３】
また、下部ユニット３において搬送部１２には回収部３０が設けられており、この回収部３０は、各収納繰出部２０に収納された紙幣を回収する際に用いられるようになっている。より具体的には、回収部３０には、紙幣を収納する紙幣収納袋（図示せず）が着脱自在に装着可能となっており、各収納繰出部２０から搬送部１２を経て回収部３０に送られた紙幣が紙幣収納袋の内部に収納されるようになっている。また、各収納繰出部２０に割り当てられていない金種の紙幣や、対応する金種の収納繰出部２０がフル状態のために収納できないオーバーフロー紙幣も、回収部３０に装着された紙幣収納袋の内部に収納されるようになっている。そして、回収部３０から紙幣収納袋を取り出すことにより、紙幣処理装置１から紙幣収納袋ごと紙幣の回収を行うようになっている。なお、回収部３０として、紙幣を収納する紙幣収納袋（図示せず）が着脱自在に装着可能となっているものの代わりに、紙幣を収納する紙幣回収カセットが装着可能となっているものが用いられてもよい。この場合には、搬送部１２から回収部３０に送られた紙幣は紙幣回収カセットの内部に収納されるようになる。また、紙幣回収カセットに紙幣が収納された後、回収部３０から紙幣回収カセットを取り出すことにより、紙幣処理装置１から紙幣回収カセットごと紙幣の回収を行うことができるようになる。
【００３４】
また、本実施の形態による紙幣処理装置１では、下部ユニット３は、所定の権限を有する操作者しか内部にアクセスすることができない金庫筐体として構成されている。より詳細には、下部ユニット３の内部にある各収納繰出部２０や回収部３０に収納されている紙幣の管理権限は警送会社側にあり、警送会社の警備員のみが下部ユニット３の扉（図示せず）を開いて当該下部ユニット３の内部にアクセスすることができるようになっている。
具体的には、下部ユニット３の扉を閉止状態でロックするロック機構（図示せず）が設けられており、このロック機構による扉のロックを解除するための鍵や暗証番号は、下部ユニット３の内部にアクセスすることを許可された操作者（例えば、警送会社の警備員）だけに与えられる。このことにより、回収部３０に装着されている紙幣収納袋は、警送会社の警備員のみが下部ユニット３の内部から回収することができるようになる。すなわち、店舗の店員等は下部ユニット３の内部にアクセスして各収納繰出部２０や回収部３０に収納されている紙幣を取り出すことができないようになっている。このことにより、各収納繰出部２０や回収部３０に収納されている紙幣の防盗性を高めることができるようになる。
【００３５】
図１および図２に示すように、紙幣投出部１６には、当該紙幣投出部１６における紙幣の投出口の開閉を行うシャッタ機構１７が設けられている。図１および図２に示すようにシャッタ機構１７によって紙幣投出部１６における紙幣の投出口が閉じられている場合には、紙幣の出金処理が行われる際に搬送部１２から紙幣投出部１６に送られた紙幣を操作者は当該紙幣投出部１６から筐体１ａの外部に取り出すことができないようになっている。一方、シャッタ機構１７によって紙幣投出部１６における紙幣の投出口が開かれた場合には、搬送部１２から紙幣投出部１６に送られた紙幣を操作者は当該紙幣投出部１６から筐体１ａの外部に取り出すことができるようになる。なお、紙幣処理装置１が待機状態にあるときには、シャッタ機構１７は紙幣投出部１６における紙幣の投出口を閉じた状態となっている。
【００３６】
本実施の形態では、各紙幣収納部１８、１９、各収納繰出部２０および回収部３０は、収納されている紙幣が外部に露出しない構成となっている。一方、紙幣投出部１６は、収納されている紙幣が外部に露出可能な構成となっている。
【００３７】
次に、硬貨処理装置１０１の構成の詳細について簡単に説明する。硬貨処理装置１０１は、略直方体形状の筐体１０１ａと、筐体１０１ａの外部から内部に硬貨を投入するための硬貨投入部１１０と、筐体１０１ａの内部から外部に硬貨を投出するための硬貨投出部１７２とを備えている。また、筐体１０１ａの内部には、硬貨投入部１１０により筐体１０１ａの内部に投入された硬貨の識別を行う識別部（図示せず）、および識別部により識別された硬貨が金種毎に収納される複数の収納繰出部（図示せず）がそれぞれ設けられており、各収納繰出部から繰り出された硬貨が硬貨投出部１７２により筐体１０１ａの内部から外部に投出されるようになっている。また、筐体１０１ａの内部には、オーバーフロー硬貨収納部として用いられる回収ボックス（図示せず）が設けられている。回収ボックスは、筐体１０１ａの下方に設けられた回収ボックス収容部（図示せず）に対して手前側に水平方向に引き出すことができるようになっている。このような回収ボックスには、各収納繰出部に収納することができなかったオーバーフロー硬貨や、各収納繰出部から繰り出された回収されるべき硬貨が収納されるようになっている。そして、回収ボックスに硬貨が収納された後、警送会社の警備員等が回収ボックス収容部から回収ボックスを手前側に引き出すことにより、当該警備員等は硬貨を回収ボックスごと回収することができるようになっている。
【００３８】
次に、本実施の形態による貨幣処理システムの制御系の構成について図３を用いて説明する。図３に示すように、紙幣処理装置１の筐体１ａの内部には制御部５０が設けられており、当該制御部５０により紙幣処理装置１の各構成部材が制御されるようになっている。より詳細には、制御部５０には、紙幣投入部１０、搬送部１２、各紙幣検知センサ１２ａ、識別部１４、シャッタ機構１７、各収納繰出部２０等がそれぞれ接続されている。そして、識別部１４による紙幣の識別結果に係る信号や各紙幣検知センサ１２ａによる紙幣の検知結果に係る信号が制御部５０に送られるようになっており、また、制御部５０は紙幣投入部１０、搬送部１２、シャッタ機構１７、各収納繰出部２０等の各構成部材に指令信号を送ることによりこれらの構成部材の制御を行うようになっている。また、硬貨処理装置１０１の筐体１０１ａの内部には、当該硬貨処理装置１０１の各構成部材の制御を行うための制御部１８０が設けられている。また、紙幣処理装置１の筐体１ａの内部に設けられている制御部５０と、硬貨処理装置１０１の筐体１０１ａの内部に設けられている制御部１８０とは信号線により接続されており、これらの制御部５０および制御部１８０の間で信号の送受信が行われるようになっている。
【００３９】
また、図３に示すように、制御部５０には搬送先選択手段５２、操作表示部５４、記憶部５６および通信インターフェース部５８がそれぞれ接続されている。搬送先選択手段５２は、搬送部１２により搬送される紙幣のうち偽紙幣および真偽不確定券の少なくとも一方の搬送先を２つの紙幣収納部１８、１９から選択するようになっている。このような搬送先選択手段５２の機能の詳細については後述する。また、操作表示部５４は、例えば筐体１ａの前面や上面に設けられるタッチパネル等から構成されており、紙幣処理装置１や硬貨処理装置１０１における紙幣や硬貨の処理状況や、紙幣処理装置１の各収納繰出部２０や硬貨処理装置１０１の各収納繰出部に収納されている紙幣や硬貨の金種毎の在高等の情報等が操作表示部５４に表示されるようになっている。また、操作者は操作表示部５４により紙幣処理装置１の制御部５０や硬貨処理装置１０１の制御部１８０に様々な指令を入力することができるようになっている。また、記憶部５６には、紙幣処理装置１や硬貨処理装置１０１における紙幣や硬貨の処理履歴、および紙幣処理装置１の各収納繰出部２０や硬貨処理装置１０１の各収納繰出部に収納されている紙幣や硬貨の金種毎の在高等の情報等が記憶されるようになっている。また、制御部５０は通信インターフェース部５８を介して紙幣処理装置１や硬貨処理装置１０１とは別に設けられた外部装置（具体的には、例えばＰＯＳレジスタ２００）に対して信号の送受信を行うことができるようになっている。また、本実施の形態による貨幣処理システムにおいて、携帯電話やスマートフォン、ｉＰａｄ（登録商標）等の携帯端末２１０を使用することができるようになっている場合には、制御部５０は通信インターフェース部５８を介して携帯端末２１０に対して信号の送受信を行うことができるようになっている。
【００４０】
また、図２に示すように、制御部５０は、下部ユニット３の内部にそれぞれ設けられたデータ処理基板５０ａおよび下部基板５０ｃと、上部ユニット２の内部に設けられた上部基板５０ｂとを有しており、データ処理基板５０ａおよび上部基板５０ｂが互いに接続されるとともに上部基板５０ｂおよび下部基板５０ｃが互いに接続されるようになっている。ここで、上部基板５０ｂは、上部ユニット２の内部に設けられている各構成部材（具体的には、上部ユニット２の内部にある搬送部１２やシャッタ機構１７等）の制御を行うようになっている。一方、下部基板５０ｃは、下部ユニット３の内部に設けられている各構成部材（具体的には、下部ユニット３の内部にある搬送部１２や各収納繰出部２０等）の制御を行うようになっている。また、識別部１４による紙幣の識別結果はデータ処理基板５０ａに送られるようになっている。また、通信インターフェース部５８はデータ処理基板５０ａに接続されており、ＰＯＳレジスタ２００や携帯端末２１０等の外部装置から通信インターフェース部５８を介してデータ処理基板５０ａに様々な情報が送られるようになっている。
【００４１】
次に、本実施の形態による貨幣処理システムの動作について説明する。具体的には、紙幣処理装置１における紙幣の入金処理および出金処理に係る動作について以下に説明する。なお、以下に示すような紙幣処理装置１の動作は、制御部５０が当該紙幣処理装置１の各構成部材を制御することにより行われるようになっている。
【００４２】
本実施の形態による貨幣処理システムでは、紙幣の入金処理が行われる際に識別部１４によって偽券や真偽不確定券と識別された紙幣の搬送先が搬送先選択手段５２によって２つの紙幣収納部１８、１９から予め選択されるようになっている。ここで、偽券とは、識別部１４によって明らかに真券（すなわち、国家や複数の国からなる地域統合体から正規に発行された紙幣）ではないと識別された紙幣のことをいい、真偽不確定券とは、識別部１４による識別結果において真券か偽券か不明確である紙幣のことをいう。ここで、貨幣を発行する国家や地域統合体によっては、偽券や真偽不確定券を見つけた場合には発見された偽券や真偽不確定券を回収して中央銀行等に送らなければならない場合がある。また、２つの紙幣収納部１８、１９のうち搬送先選択手段５２によって偽券や真偽不確定券の搬送先であると選択されなかった紙幣収納部には、紙幣の出金処理が行われる際に各収納繰出部２０から搬送部１２に繰り出されたが紙幣投出部１６により筐体１ａの外部に投出することができない紙幣（具体的には、搬送異常の紙幣）が出金リジェクト紙幣として送られるようになる。
【００４３】
より詳細に説明すると、操作者は操作表示部５４によって偽券および真偽不確定券の少なくとも一方の搬送先が２つの紙幣収納部１８、１９のうちどちらであるかという情報を入力することができるようになっており、搬送先選択手段５２は、操作表示部５４により入力された内容に基づいて、搬送部１２により搬送される紙幣のうち偽券および真偽不確定券の少なくとも一方の搬送先を２つの紙幣収納部１８、１９から選択するようになっている。ここで、操作者は操作表示部５４によって偽券および真偽不確定券の両方の搬送先を２つの紙幣収納部１８、１９のうちどちらであるかという情報を入力してもよい。この場合には、２つの紙幣収納部１８、１９のうち搬送先選択手段５２によって選択された紙幣収納部には偽券および真偽不確定券の両方の紙幣が収納され、また、搬送先選択手段５２によって選択されなかった紙幣収納部には出金リジェクト紙幣が送られるようになる。また、操作者は操作表示部５４によって偽券および真偽不確定券のうち一方の種類の紙幣の搬送先を２つの紙幣収納部１８、１９のうちどちらであるかという情報を入力してもよい。この場合には、２つの紙幣収納部１８、１９のうち搬送先選択手段５２によって選択された紙幣収納部には偽券および真偽不確定券のうち一方の種類の紙幣が収納され、また、搬送先選択手段５２によって選択されなかった紙幣収納部には偽券および真偽不確定券のうち他方の種類の紙幣および出金リジェクト紙幣が送られるようになる。
【００４４】
なお、搬送先選択手段５２は、操作表示部５４により入力された内容に基づいて、搬送部１２により搬送される紙幣のうち偽券および真偽不確定券の少なくとも一方の搬送先を２つの紙幣収納部１８、１９から選択することに限定されない。他の態様として、搬送部１２により搬送される紙幣のうち偽券および真偽不確定券の少なくとも一方の搬送先に係る情報が、ＰＯＳレジスタ２００や携帯端末２１０等の外部装置から通信インターフェース部５８を介して制御部５０に送られるようになっており、搬送先選択手段５２は、ＰＯＳレジスタ２００や携帯端末２１０等の外部装置から通信インターフェース部５８を介して受信した情報に基づいて、搬送部１２により搬送される紙幣のうち偽券および真偽不確定券の少なくとも一方の搬送先を２つの紙幣収納部１８、１９から選択するようになっていてもよい。また、搬送部１２により搬送される紙幣のうち偽券および真偽不確定券の少なくとも一方の搬送先に係る情報が操作表示部５４に入力されなかったり、このような情報がＰＯＳレジスタ２００や携帯端末２１０等の外部装置から通信インターフェース部５８を介して制御部５０に送られなかったりした場合には、偽券や真偽不確定券の搬送先が搬送先選択手段５２によって自動的にある一つの紙幣収納部（具体的には、例えば紙幣収納部１９）に設定されるようになっていてもよい。また、予め定められた条件に基づいて、偽券や真偽不確定券の搬送先が搬送先選択手段５２によって自動的に設定されるようになっていてもよい。予め定められた条件は、例えば、貨幣処理システムが使用される業態、貨幣処理システムが設置される店舗や地域、貨幣処理システムを使用する操作者の種別（例えば、一般顧客や店舗係員）または貨幣処理システムを使用する操作者の権限（例えば、管理者や一般係員）などとすることができる。具体的には、例えば、貨幣処理システムを使用する操作者が一般顧客である場合は、偽券や真偽不確定券の搬送先が搬送先選択手段５２によって紙幣収納部１９に設定され、貨幣処理システムを使用する操作者が店舗係員である場合は、偽券や真偽不確定券の搬送先が搬送先選択手段５２によって紙幣投出部１６に設定されるようになっていてもよい。
【００４５】
次に、紙幣処理装置１における紙幣の入金処理に係る動作について説明する。なお、以下の説明では、搬送先選択手段５２によって、紙幣の入金処理が行われる際に識別部１４によって偽券または真偽不確定券と識別された紙幣の搬送先として２つの紙幣収納部１８、１９のうち紙幣収納部１９が選択されているような場合について述べる。操作者が操作表示部５４により紙幣の入金処理開始の指令を入力するとともに紙幣投入部１０に紙幣を投入すると、紙幣投入部１０に投入された紙幣は当該紙幣投入部１０に設けられたフィードローラやキッカローラ等の複数のローラによって筐体１ａの内部に１枚ずつ繰り出され、この繰り出された紙幣は搬送部１２により搬送される。また、搬送部１２により搬送される紙幣は識別部１４によりその金種、真偽、正損、新旧、表裏、搬送状態等の識別が行われる。ここで、識別部１４による識別結果に基づいて正常な紙幣であると判断された紙幣は搬送部１２によって上部ユニット２から下部ユニット３に受け渡され、この下部ユニット３の内部に設けられている各収納繰出部２０に金種毎に収納されるようになる。一方、識別部１４により偽券または真偽不確定券と識別された紙幣は搬送部１２により紙幣収納部１９に送られ、この紙幣収納部１９に収納されるようになる。このように、紙幣収納部１９には、識別部１４により偽券であると識別された紙幣および真偽不確定券であると識別された紙幣の両方が収納されるようになる。また、各収納繰出部２０に割り当てられていない金種の紙幣や、対応する金種の収納繰出部２０がフル状態のために収納できないオーバーフロー紙幣は、搬送部１２により回収部３０に送られ、この回収部３０に装着された紙幣収納袋の内部に収納されるようになる。そして、紙幣投入部１０から紙幣が全て筐体１ａの内部に繰り出され、各収納繰出部２０、紙幣収納部１９または回収部３０に送られると、紙幣処理装置１における紙幣の入金処理が完了する。
【００４６】
次に、紙幣処理装置１における紙幣の出金処理に係る動作について説明する。操作者が操作表示部５４により出金されるべき紙幣の金種毎の枚数や合計金額等を入力するとともに紙幣の出金処理開始の指令を入力すると、出金されるべき紙幣が各収納繰出部２０から搬送部１２に１枚ずつ繰り出され、当該搬送部１２によって下部ユニット３から上部ユニット２に受け渡される。そして、各紙幣検知センサ１２ａによる検知結果に基づいて搬送異常ではないと判断された紙幣は紙幣投出部１６に送られ、この紙幣投出部１６に集積される。また、搬送先選択手段５２によって、紙幣の入金処理が行われる際に識別部１４によって偽券または真偽不確定券と識別された紙幣の搬送先として２つの紙幣収納部１８、１９のうち紙幣収納部１９が選択されている場合には、各紙幣検知センサ１２ａによる検知結果に基づいて搬送異常であると判断された紙幣（すなわち、出金リジェクト紙幣）は、搬送先選択手段５２により選択されていない紙幣収納部１８に送られ、この紙幣収納部１８に収納されるようになる。そして、出金されるべき紙幣が全て紙幣投出部１６に送られ、この紙幣投出部１６に集積されると、紙幣投出部１６における紙幣の投出口をシャッタ機構１７が開くことにより操作者は紙幣投出部１６から紙幣を筐体１ａの外部に取り出すことができるようになる。このようにして紙幣処理装置１における紙幣の出金処理が完了する。
【００４７】
次に、紙幣処理装置１における紙幣の回収処理に係る動作について説明する。警送会社の警備員等が操作表示部５４により紙幣の回収処理開始の指令を入力すると、各収納繰出部２０に収納されている紙幣が全て当該収納繰出部２０から１枚ずつ搬送部１２に繰り出され、当該搬送部１２によって回収部３０に送られる。具体的には、回収部３０には、紙幣を収納する紙幣収納袋（図示せず）が着脱自在に装着されており、各収納繰出部２０から搬送部１２を経て回収部３０に送られた紙幣は紙幣収納袋の内部に収納される。そして、各収納繰出部２０から全ての紙幣が回収部３０に送られ、当該回収部３０に装着されている紙幣収納袋に収納されると、警送会社の警備員等は下部ユニット３の扉を開けて回収部３０から紙幣収納袋を取り出すことにより、紙幣処理装置１から紙幣収納袋ごと紙幣の回収を行う。このようにして、紙幣が収納されている紙幣収納袋が紙幣処理装置１から取り出されると、紙幣処理装置１における紙幣の回収処理が完了する。
【００４８】
このように、本実施の形態では、２つの紙幣収納部１８、１９のうち一方の紙幣収納部（例えば、紙幣収納部１９）に、紙幣の入金処理が行われる際に識別部１４により偽券や真偽不確定券であると識別された紙幣が収納されるとともに、他方の紙幣収納部（例えば、紙幣収納部１８）に、紙幣の出金処理が行われる際に搬送異常等によって紙幣投出部１６により筐体１ａの外部に投出することができない出金リジェクト紙幣であると判断された紙幣が収納されるようになっている。このため、紙幣収納部が一つしか設けられておらず、識別部１４により偽券や真偽不確定券であると識別された紙幣と、出金リジェクト紙幣とを同一の紙幣収納部に収納させる場合と比較して、運用形態に応じて柔軟な対応を行うことができるようになる。具体的には、紙幣収納部が一つしか設けられておらず、識別部１４により偽券や真偽不確定券であると識別された紙幣と、出金リジェクト紙幣とが同一の紙幣収納部に収納される場合には、紙幣収納部から紙幣を取り出す際に、紙幣収納部から取り出された紙幣を手作業で偽券や真偽不確定券と出金リジェクト紙幣とに分けなければならず、操作者にとって手間がかかるという問題があるが、本実施の形態による紙幣処理装置１ではこのような問題が発生することを防止することができるようになる。
【００４９】
また、本実施の形態による紙幣処理装置１において、紙幣の入金処理が行われる際に、入金処理の一取引の紙幣データ（具体的には、入金された紙幣の記番号等の情報）が制御部５０の上部基板５０ｂに仮保管されるようになっている。一方、識別部１４による識別結果に基づいて偽券や真偽不確定券であると判断され、搬送先選択手段５２により選択された紙幣収納部（例えば、紙幣収納部１９）に送られた紙幣に係る紙幣データ（キャプチャーデータ、具体的には偽券や真偽不確定券の記番号やイメージデータに係る情報）は識別部１４において仮保管されるようになっている。そして、紙幣投入部１０から紙幣が全て筐体１ａの内部に繰り出され、各収納繰出部２０、紙幣収納部１９または回収部３０に送られると、データ処理基板５０ａが識別部１４および上部基板５０ｂにそれぞれ指令を出すことによりキャプチャーデータが識別部１４からデータ処理基板５０ａに送られるとともに入金処理の一取引の紙幣データが上部基板５０ｂからデータ処理基板５０ａに送られるようになる。そして、データ処理基板５０ａにおいて、当該データ処理基板５０ａに送られたキャプチャーデータや入金処理の一取引の紙幣データに、日時に係る情報、貨幣処理システムの識別番号、取引番号、紙幣の返却の有無に係る情報等が付与される。その後、日時に係る情報等が付与されたキャプチャーデータや入金処理の一取引の紙幣データは、データ処理基板５０ａから通信インターフェース部５８によりＰＯＳレジスタ２００に送られる。また、店舗の店員は顧客から当該顧客の情報（例えば、免許証等の識別番号、名前、住所等）を取得し、この取得した情報をＰＯＳレジスタ２００に打ち込むことにより顧客の情報がＰＯＳレジスタ２００の記憶部に記憶される。この際に、データ処理基板５０ａからＰＯＳレジスタ２００に送られたキャプチャーデータや入金処理の一取引の紙幣データに、顧客の情報が紐付けられる。このことにより、偽券や真偽不確定券を回収して中央銀行等に送る際に、紙幣収納部１９に収納されている偽券や真偽不確定券が、元々どの顧客のものであったかを追跡することができるようになる。
【００５０】
なお、上記の説明では搬送部１２により搬送される紙幣のうち偽券や真偽不確定券の搬送先を搬送先選択手段５２が２つの紙幣収納部１８、１９から選択するような態様について述べたが、本実施の形態では搬送先選択手段５２が２つの紙幣収納部１８、１９以外の構成部材から偽券や真偽不確定券の搬送先を選択するようになっていてもよい。例えば、搬送先選択手段５２は、搬送部１２により搬送される紙幣のうち偽券および真偽不確定券の少なくとも一方の搬送先を、２つの紙幣収納部１８、１９、各収納繰出部２０および回収部３０から選択することができるようになっていてもよい。また、紙幣処理装置１に設けられる紙幣収納部の数を１つとし、搬送部１２により搬送される紙幣のうち偽券および真偽不確定券の少なくとも一方の搬送先が、この１つの紙幣収納部、各収納繰出部２０および回収部３０から搬送先選択手段５２により選択されるようにしてもよい。
【００５１】
ここで、搬送部１２により搬送される紙幣のうち偽券および真偽不確定券の少なくとも一方の搬送先として、図２における上から２番目の収納繰出部２０または上から３番目の収納繰出部２０が搬送先選択手段５２により選択される場合には、収納繰出部２０における２つのドラム２４、２６のうち紙幣の最大収納容量が小さいドラム２４が偽券および真偽不確定券の少なくとも一方の搬送先として割り当てられるようになる。この場合には、紙幣の入金処理が行われる際に識別部１４による識別結果に基づいて正常な紙幣であると識別された紙幣は、搬送先選択手段５２により選択された収納繰出部２０のドラム２４には送られなくなる。一方、識別部１４による識別結果に基づいて偽券や真偽不確定券であると識別された紙幣は、搬送先選択手段５２により選択された収納繰出部２０のドラム２４に収納されるようになる。ここで、紙幣の入金処理が行われる際に、識別部１４による識別結果に基づいて偽券や真偽不確定券であると識別される紙幣の枚数は多くないと考えられるため、偽券および真偽不確定券の少なくとも一方の搬送先として収納繰出部２０における２つのドラム２４、２６のうち紙幣の最大収納容量が小さいドラム２４を割り当てることにより、紙幣の最大収納容量が大きいドラム２６に正常な紙幣を収納させることができるようになり、よって４つの収納繰出部２０全体での正常な紙幣の収納量を増やすことができるようになる。
【００５２】
また、本実施の形態では、搬送先選択手段５２は、搬送部１２により搬送される紙幣のうち偽券および真偽不確定券の少なくとも一方の搬送先として紙幣投出部１６を選択することができるようになっていてもよい。具体的には、操作者は操作表示部５４により偽券や真偽不確定券の搬送先を各紙幣収納部１８、１９および紙幣投出部１６から選択して設定することができるようになっており、操作者によって操作表示部５４により偽券や真偽不確定券の搬送先として紙幣投出部１６が選択された場合には、紙幣の入金処理が行われる際に識別部１４による識別結果に基づいて偽券や真偽不確定券であると判断された紙幣は搬送部１２により紙幣投出部１６に送られ、この紙幣投出部１６に集積されるようになる。また、紙幣の入金処理が行われている間は紙幣投出部１６における紙幣の投出口はシャッタ機構１７により閉じられるようになっており、紙幣投出部１６に送られた偽券や真偽不確定券を操作者は筐体１ａの外部に取り出すことができないようになっている。
【００５３】
そして、紙幣投入部１０から紙幣が全て筐体１ａの内部に繰り出され、各収納繰出部２０、紙幣投出部１６または回収部３０に送られると、紙幣投出部１６に偽券や真偽不確定券が集積されている場合には紙幣投出部１６に偽券や真偽不確定券が存在する旨のメッセージが操作表示部５４に表示されるようになる。また、操作表示部５４には、紙幣投出部１６に送られた偽券や真偽不確定券を回収することについて顧客（操作者）が了承するか否かの選択画面が表示されるようになる。そして、操作者が操作表示部５４によって紙幣投出部１６に送られた偽券や真偽不確定券を回収することを了承する旨を入力した場合には、店舗の店員等にこのことが報知され、店員等は紙幣処理装置１のそばに移動するようになる。そして、店員等は操作表示部５４によりシャッタ機構１７を開く旨の指令を制御部５０に与え、シャッタ機構１７を開く。その後、貨幣処理システムのそばに現外ボックス等の偽券や真偽不確定券を回収するための箱が設けられている場合には、店舗の店員等は紙幣投出部１６から偽券や真偽不確定券を取り出して封筒に入れた後、偽券や真偽不確定券が入った封筒を現外ボックス等に投入する。また、貨幣処理システムのそばに現外ボックス等の偽券や真偽不確定券を回収するための箱が設けられていない場合には、店舗の店員等は紙幣投出部１６から偽券や真偽不確定券を取り出してこの取り出された偽券や真偽不確定券をレジにて別管理する。このようにして、店舗において偽券や真偽不確定券が回収されてこの回収された偽券や真偽不確定券は中央銀行等に送られるようになる。一方、操作者が操作表示部５４によって紙幣投出部１６に送られた偽券や真偽不確定券を回収することを了承しない旨を入力した場合には、シャッタ機構１７を開く旨の指令が制御部５０に与えられるようになり、シャッタ機構１７が開かれる。このことにより、顧客は紙幣投出部１６から偽券や真偽不確定券を取り出すことができるようになる。
【００５４】
以上のような構成からなる本実施の形態の紙幣処理装置１によれば、搬送部１２における異なる箇所にそれぞれ接続され、当該搬送部１２から送られた紙幣を収納する複数の収納部として、各紙幣収納部１８、１９、各収納繰出部２０、回収部３０、紙幣投出部１６から選択された少なくとも２つのもの（具体的には、例えば２つの紙幣収納部１８、１９）が設けられており、少なくとも１つの収納部は、収納されている紙幣が外部に露出しない構成となっている。また、搬送部１２により搬送される紙幣のうち偽券および真偽不確定券の少なくとも一方の搬送先を複数の収納部から選択する搬送先選択手段５２が設けられており、制御部５０は、偽券および真偽不確定券の少なくとも一方を、複数の収納部のうち搬送先選択手段５２により選択された収納部（例えば、紙幣収納部１９）に搬送するよう搬送部１２を制御するようになっている。このように、搬送部１２により搬送される紙幣のうち偽券および真偽不確定券の少なくとも一方の搬送先を搬送先選択手段５２により複数の収納部から予め選択しておき、偽券および真偽不確定券の少なくとも一方を、複数の収納部のうち搬送先選択手段５２により選択された収納部に搬送することにより、搬送部１２から送られた偽貨幣や真偽不確定貨幣を収納することができる収納部が１つしかない場合と比較して、運用形態に応じて柔軟な対応を行うことができる。
【００５５】
また、本実施の形態の紙幣処理装置１においては、上述したように、搬送部１２により搬送される紙幣のうち偽券および真偽不確定券の少なくとも一方の搬送先として搬送先選択手段５２により選択される対象となる複数の収納部が、各紙幣収納部１８、１９、各収納繰出部２０、回収部３０から選択された少なくとも２つのものである場合には、全ての収納部が、収納されている紙幣が外部に露出しない構成となる。
【００５６】
また、搬送先選択手段５２により選択される対象となる複数の収納部に、収納繰出部２０を含める場合には、収納繰出部２０に収納された偽券や真偽不確定券を当該収納繰出部２０から搬送部１２に繰り出して紙幣投出部１６や回収部３０等に送ることができるようになる。
【００５７】
また、搬送先選択手段５２により選択される対象となる複数の収納部に、紙幣投出部１６を含める場合には、顧客が偽券や真偽不確定券の返却を求める場合に、偽券や真偽不確定券を紙幣投出部１６により筐体１ａの外部に投出することができるようになる。また、偽券および真偽不確定券の少なくとも一方が紙幣投出部１６に搬送される場合において開閉部材としてのシャッタ機構１７が閉じられた後、シャッタ機構１７を開く旨の指令が与えられるとシャッタ機構１７が開かれて紙幣処理装置１の外部から紙幣投出部１６にアクセスすることができるようになる。このことにより、偽券や真偽不確定券を顧客に返却したり、あるいは店舗の店員等が紙幣投出部１６から偽券や真偽不確定券を取り出して現外ボックスやレジ等に投入したりすることができるようになる。
【００５８】
また、本実施の形態の紙幣処理装置１においては、上述したように、搬送部１２により搬送される紙幣のうち偽券および真偽不確定券の少なくとも一方の搬送先として搬送先選択手段５２により選択される対象となる複数の収納部に紙幣投出部１６が含まれる場合に、偽券および真偽不確定券の少なくとも一方が紙幣投出部１６に搬送されると、このことが操作表示部５４により操作者に報知されるようになっている。このように、操作表示部５４は、偽券および真偽不確定券の少なくとも一方が紙幣投出部１６に搬送されたときにこのことを報知する報知部として機能するようになる。なお、このような報知部は操作表示部５４に限定されることはない。操作者に報知することができるものであれば、報知部として例えば音声により操作者に報知するスピーカー等が用いられてもよい。
【００５９】
なお、本実施の形態による紙幣処理装置１や貨幣処理システムは、上述したような態様に限定されることはなく、様々な変更を加えることができる。
【００６０】
例えば、本実施の形態による貨幣処理システムは、紙幣処理装置１および硬貨処理装置１０１を備えたものに限定されることはない。本実施の形態による貨幣処理システムとして紙幣処理装置１が単体で用いられるようになっていてもよい。
【００６１】
また、本実施の形態による紙幣処理装置１では、搬送部１２により搬送される紙幣のうち偽券および真偽不確定券の少なくとも一方の搬送先として、搬送先選択手段５２は複数の収納部のうち２つ以上の収納部を選択することができるようになっていてもよい。この場合には、紙幣処理装置１に投入される偽券や真偽不確定券の数が多い場合にも対応することができるようになる。なお、２つの紙幣収納部１８、１９のうち一方の紙幣収納部に出金リジェクト紙幣を送る場合には、搬送先選択手段５２は偽券や真偽不確定券の搬送先として２つの紙幣収納部１８、１９を選択することができないようになっている。
【００６２】
また、上記の説明では本発明の原理を紙幣処理装置１に適用した場合について述べたが、本発明の原理を硬貨処理装置１０１に適用してもよい。すなわち、硬貨処理装置１０１において、硬貨を搬送する搬送部（図示せず）と、搬送部における異なる箇所にそれぞれ接続され、当該搬送部から送られた硬貨を収納する複数の収納部（図示せず）とがそれぞれ設けられており、少なくとも１つの収納部は、収納した硬貨が外部に露出しない構成となっている場合において、搬送部により搬送される硬貨のうち偽硬貨および真偽不確定硬貨の少なくとも一方の搬送先が複数の収納部から搬送先選択手段（図示せず）によって選択されるようになっていてもよい。この場合には、硬貨の入金処理において、制御部１８０は、偽硬貨および真偽不確定硬貨の少なくとも一方を、複数の収納部のうち搬送先選択手段により選択された収納部に搬送するよう搬送部を制御するようになる。また、硬貨の出金処理において、制御部１８０は、収納繰出部（図示せず）から繰り出された硬貨のうち出金されるべきではない硬貨（具体的には、出金リジェクト硬貨）を、複数の収納部のうち搬送先選択手段により選択されていない収納部に搬送するよう搬送部を制御するようになる。このような硬貨処理装置１０１でも、上述した紙幣処理装置１と同様に、搬送部により搬送される硬貨のうち偽硬貨および真偽不確定硬貨の少なくとも一方の搬送先を搬送先選択手段により複数の収納部から予め選択しておき、この選択された収納部に、偽硬貨および真偽不確定硬貨の少なくとも一方を搬送することにより、搬送部から送られた偽硬貨や真偽不確定硬貨を収納することができる収納部が１つしかない場合と比較して、運用形態に応じて柔軟な対応を行うことができるようになる。
【符号の説明】
【００６３】
１        紙幣処理装置
１ａ      筐体
２        上部ユニット
３        下部ユニット
１０      紙幣投入部
１２      搬送部
１２ａ    紙幣検知センサ
１４      識別部
１６      紙幣投出部
１７      シャッタ機構
１８、１９  紙幣収納部
２０      収納繰出部
２２、２４、２６  ドラム
３０      回収部
５０      制御部
５０ａ    データ処理基板
５０ｂ    上部基板
５０ｃ    下部基板
５２      搬送先選択手段
５４      操作表示部
５６      記憶部
５８      通信インターフェース部
１０１    硬貨処理装置
１０１ａ  筐体
１１０    硬貨投入部
１７２    硬貨投出部
１８０    制御部
２００    ＰＯＳレジスタ
２１０    携帯端末
【図１】
2018049328.tif 000003
【図２】
2018049328.tif 000004
【図３】
2018049328.tif 000005